(57)【要約】【課題】簡単に歪曲収差を補正し得る、空間変調素子の画像をスクリーン上に拡大する投写装置の投写光学系を主レンズとした場合に好適なアタッチメントレンズ、並びにそれを用いた投写装置及び投写型表示装置を提供する。【解決手段】主レンズの共役距離の長いほうに配置されるアタッチメントレンズであって、共役距離の長いほうから順に正のパワーを有する第１レンズと負のパワーを有する第２レンズとからなり、アタッチメントレンズと主レンズの合成焦点距離をｆ＿ａｌｌ、主レンズの焦点距離をｆ＿ｍａｉｎとしたとき、以下の式：１．０１＜ｆ＿ａｌｌ／ｆ＿ｍａｉｎ＜１．０５を満足するアタッチメントレンズ、並びにそれを用いた投写装置及び投写型表示装置。【選択図】図１
2008304858.tif 000002
【特許請求の範囲】
【請求項１】
主レンズの共役距離の長いほうに配置されるアタッチメントレンズであって、
共役距離の長いほうから順に正のパワーを有する第１レンズと負のパワーを有する第２レンズとからなり、アタッチメントレンズと主レンズの合成焦点距離をｆ＿ａｌｌ、主レンズの焦点距離をｆ＿ｍａｉｎとしたとき、以下の式を満足する、アタッチメントレンズ：
１．０１＜ｆ＿ａｌｌ／ｆ＿ｍａｉｎ＜１．０５    ・・・（１）
【請求項２】
前記第１レンズは、共役距離の長いほうに凸面を向けた正メニスカス形状であり、前記第２レンズは、共役距離の長いほうに凸面を向けた負メニスカス形状であり、
前記第１レンズの光軸に沿った厚みをｄ１、前記第１レンズと前記第２レンズの空気間隔をｄ１２としたとき、以下の式を満足する、請求項１に記載のアタッチメントレンズ：
｜ｄ１２／ｄ１｜＜１    ・・・（２）
【請求項３】
前記第１レンズのアッベ数をνｄ１、前記第２レンズのアッベ数をνｄ２としたとき、以下の式を満足する、請求項１に記載のアタッチメントレンズ：
１２＜νｄ１−νｄ２＜２４    ・・・（３）
【請求項４】
光源と、前記光源から放射される光により照明されるとともに光学像を形成する空間光変調素子と、前記空間光変調素子上の光学像を投写する投写レンズとを備え、
前記投写レンズは、前記主レンズと、請求項１乃至３のいずれかに記載のアタッチメントレンズとを備える、投写装置。
【請求項５】
前記光源と前記空間光変調素子との間に、光源からの光を青、緑、赤の３色に時間的に制限する手段を備えるとともに、
前記空間光変調素子は、前記光源から放射される光により照明されるとともに時間的に変化する青、緑、赤の３色に対応する光学像を形成する、請求項４に記載の投写装置。
【請求項６】
請求項５に記載の投写装置と、前記投写装置からの画像光を折り曲げるミラーと、画像光を受光し光学像として映し出す透過型スクリーンとを備える、投写型表示装置。
【請求項７】
複数の請求項５に記載の投写装置と、画像信号を複数の前記投写装置に対応した分割画像に分割する画像分割回路と、複数の前記投写装置からの画像光を受光し、光学像として合成しえて映し出すスクリーンとを備える、投写型表示装置。
【発明の詳細な説明】
【技術分野】
【０００１】
本発明は、主レンズの前方に配置するアタッチメントレンズ、投写装置及び投写型表示装置に関し、詳しくは、空間変調素子の画像をスクリーン上に拡大する投写装置の投写光学系を主レンズとした場合に好適なアタッチメントレンズ、並びにそれを用いた投写装置及び投写型表示装置に関する。
【背景技術】
【０００２】
赤、緑、青の３原色の反射型の空間変調素子を用いる投写装置がある。このような投写装置は、投写レンズと空間変調素子の間に照明光を導くプリズムと色合成のプリズムが配置される。このため、投写レンズは長いバックフォーカスが必要となる。また、色合成のプリズムは分光特性に入射角依存性があるため、投写レンズは、共役距離の短い側の瞳位置を空間変調素子から十分遠方にする光学系であること、すなわちテレセントリック性が必要である。
【０００３】
また、反射型の空間変調素子を投写装置に使用する場合、照明光を空間変調素子に導くために色分離合成プリズムの他にプリズムを必要とする。そこで投写レンズには、より長いバックフォーカスが必要となる。
【０００４】
さらに、スクリーンから投写装置までの投写距離を短くして小さなスペースで使用したい要望もあり、投写レンズには短い投写距離で使用できる広角のズームレンズも要望されている。
【０００５】
上記のような要望に対して、例えば特許文献１に記載されている構成がある。特許文献１に記載の構成は、いわゆる凸群先行４群ズームレンズであり、長いバックフォーカスとテレセントリック性がズーミングによっても変化しないメリットがある。また、コンパクトな３群ズームレンズとして、本発明者は特許文献２に記載の構成を提案している。
【特許文献１】特開平１０−１６１０２７号公報
【特許文献２】特開２００４−１３８６７７号公報
【発明の開示】
【発明が解決しようとする課題】
【０００６】
上記特許文献１、２に記載のレンズ系は、長いバックフォーカスとテレセントリック性とを備え、かつ広角に対応するというすべての要求を満足するものではなかった。一般に、長いバックフォーカスとテレセントリック性とを備えるズームレンズ系を、広角化しようとすると、広角側での歪曲収差が問題になる。そこで従来は、広角端での結像性能と最も入射側のレンズ系の大きさを小さくすることを優先し、歪曲収差を補正不足とする設計が多い。
【０００７】
しかしながら、近年、投写レンズに要求されるスペックが高くなってきており、歪曲収差の要求レベルも向上してきている。このため、従来の広角対応のズームレンズ系では、歪曲収差の補正が不十分となってきた。特に２台以上の投写装置で１面の画面を構成し、より明るい画面を得ようとするスタック画面での使用や、複数の画面を近接させて、１面の大きな画面を構成するマルチ画面での使用は、投写レンズにより投写された画面の歪曲が著しく画面の品位を低下させるので、従来の投写レンズの歪曲収差の補正では不十分であった。
【０００８】
本発明は、上記問題に鑑み、簡単に歪曲収差を補正する光学系を提供することを目的とする。
【課題を解決するための手段】
【０００９】
上記目的は、以下のアタッチメントレンズにより達成される。すなわち本発明のアタッチメントレンズは、主レンズの共役距離の長いほうに配置されるアタッチメントレンズであって、共役距離の長いほうから順に正のパワーを有する第１レンズと負のパワーを有する第２レンズとからなり、アタッチメントレンズと主レンズの合成焦点距離をｆ＿ａｌｌ、主レンズの焦点距離をｆ＿ｍａｉｎとしたとき、以下の式を満足する。
１．０１＜ｆ＿ａｌｌ／ｆ＿ｍａｉｎ＜１．０５    ・・・（１）
【発明の効果】
【００１０】
本発明によれば、簡単に歪曲収差を補正し得る、空間変調素子の画像をスクリーン上に拡大する投写装置の投写光学系を主レンズとした場合に好適なアタッチメントレンズといった光学系、並びにその光学系を用いた投写装置及び投写型表示装置を提供することができる。
【発明を実施するための最良の形態】
【００１１】
（実施の形態１）
実施の形態１に係るアタッチメントレンズを付加したズームレンズ系（以下、ズームレンズ系全体という）について、図面を参照しつつ説明する。図１は、実施の形態１に係わるズームレンズ系全体のレンズ配置図である。図１（ａ）は、実施の形態１に係るズームレンズ系全体の広角端のレンズ配置図である。また、図１（ｂ）は、実施の形態１に係るズームレンズ系全体の中間焦点距離状態のレンズ配置図である。また、図１（ｃ）は、実施の形態１に係るズームレンズ系全体の望遠端のレンズ配置図である。
【００１２】
図４は、実施の形態１に係わるズームレンズ系全体のレンズ配置図である。図４（ａ）は、実施の形態１に係るズームレンズ系全体の広角端のレンズ配置図である。また、図４（ｂ）は、実施の形態１に係るズームレンズ系全体の中間焦点距離状態のレンズ配置図である。
【００１３】
図６は、実施の形態１に係わるズームレンズ系全体のレンズ配置図である。図６（ａ）は、実施の形態１に係るズームレンズ系全体の広角端のレンズ配置図である。また、図６（ｂ）は、実施の形態１に係るズームレンズ系全体の中間焦点距離状態のレンズ配置図である。
【００１４】
図９は、実施の形態１に係わるズームレンズ系全体のレンズ配置図である。図９（ａ）は、実施の形態１に係るズームレンズ系全体の広角端のレンズ配置図である。また、図９（ｂ）は、実施の形態１に係るズームレンズ系全体の中間焦点距離状態のレンズ配置図である。また、図９（ｃ）は、実施の形態１に係るズームレンズ系全体の望遠端のレンズ配置図である。
【００１５】
図１、４、６及び９は、いずれも無限遠合焦状態にあるズームレンズ系全体（アタッチメントレンズと主レンズ）を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。また、図中、像面Ｓは、撮像系の場合はフィルムやＣＣＤ、投写装置の場合は空間変調素子であるＬＣＤ等に対応する。
【００１６】
実施の形態１に係るズームレンズ系は、いずれも最も共役距離の長い側に配置されたレンズ素子Ｌ１及びＬ２からなるアタッチメントレンズと、残りの主レンズとからなる。実施の形態１のアタッチメントレンズは、レンズ素子Ｌ１とＬ２で構成される。なお、レンズ素子Ｌ３からＬ１８は主レンズである。ズームレンズ系の最も共役距離の短い側に配置されたガラスブロックＰは、プリズム等に対応する。
【００１７】
アタッチメントレンズの構成は共役距離の長い方から正レンズ素子Ｌ１と、負レンズ素子Ｌ２との２枚構成である。実施の形態１のアタッチメントレンズは、フロントコンバーターの一種であるテレコンバーターを構成している。
【００１８】
一般に、主レンズに付加する形のレンズとして、フロントコンバーターやリアコンバーターやクローズアップレンズがある。フロントコンバーターは主レンズの前方に配置し、焦点距離を長くしたり、短くしたりできる。リアコンバーターは主レンズの後方に配置し、焦点距離を長くする。クローズアップレンズは主レンズの前に配置し、最短撮影距離を短くするためのものである。また、通常フロントコンバーターとリアコンバーターはアフォーカル系で構成される。
【００１９】
フロントコンバーターの種類には、テレコンバーターとワイドコンバーターがある。テレコンバーターは焦点距離を長くする作用を持っている。ワイドコンバーターは焦点距離を短くする作用をもっている。
【００２０】
本発明では、特に、スタック画面やマルチ画面を構成するときの特別なレンズを用意することなく、主レンズの前方に配置するアタッチメントレンズを適切に配置することにより歪曲収差を効果的に補正できる。
【００２１】
アタッチメントレンズは、以上の構成によりその目的を達成しているが、さらに光学性能上好ましくは次の諸項目を満足させることがよい。
【００２２】
アタッチメントレンズは、共役距離の長いほうから順に正のパワーを有する第１レンズと負のパワーを有する第２レンズとからなり、アタッチメントレンズと主レンズの合成焦点距離をｆ＿ａｌｌ、主レンズの焦点距離をｆ＿ｍａｉｎとしたとき、以下の条件式（１）を満足する。
１．０１＜ｆ＿ａｌｌ／ｆ＿ｍａｉｎ＜１．０５    ・・・（１）
【００２３】
条件式（１）は主レンズの焦点距離に対する、アタッチメントレンズと主レンズの合成焦点距離をあらわしている。条件式（１）の下限を超えると歪曲補正の効果が少なくなる。条件式（１）の上限を超えるとアタッチメントレンズと主レンズの合成の焦点距離が長くなり、画角が変化してしまう。
【００２４】
アタッチメントレンズは、共役距離の長いほうから順に共役距離の長いほうに凸面を向けた正メニスカス形状の正の第１レンズと共役距離の長いほうに凸面を向けた負メニスカス形状の負の第２レンズからなり、第１レンズの中心間隔をｄ１、第１レンズと第２レンズの空気間隔をｄ１２としたとき、以下の条件式（２）を満足することが好ましい。
｜ｄ１２／ｄ１｜＜１    ・・・（２）
【００２５】
条件式（２）は第１レンズと第２レンズの空気間隔を第１レンズの中心面間隔で規定したもので、上限を超えるとコンパクトに構成することが困難である。
【００２６】
アタッチメントレンズは、共役距離の長いほうから順に正の第１レンズと負の第２レンズからなり、第１レンズのアッベ数をνｄ１、第２レンズのアッベ数をνｄ２としたとき、以下の条件式（３）を満足することが好ましい。
１２＜νｄ１−νｄ２＜２４    ・・・（３）
【００２７】
条件式（３）は第１レンズと第２レンズのアッベ数の差を規定したもので、下限を超えると倍率の色収差が補正過剰となる恐れがあり、上限を超えると倍率色収差が補正不足となる恐れがある。
【００２８】
以下、具体的な数値例として、実施例１〜４を示す。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。
【００２９】
図２は、実施例１に係るズームレンズ系全体の無限遠合焦状態の縦収差図である。図３は、実施例１に係るズームレンズ系の主レンズのみ無限遠合焦状態の縦収差図である。図５は、実施例２に係るズームレンズ系全体の無限遠合焦状態の縦収差図である。図７は、実施例３に係るズームレンズ系全体の無限遠合焦状態の縦収差図である。図８は、実施例３に係るズームレンズ系の主レンズのみ無限遠合焦状態の縦収差図である。図１０は、実施例４に係るズームレンズ系全体の無限遠合焦状態の縦収差図である。
【００３０】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００３１】
（実施例１）
（表１）
条件式（１）ｆ＿ａｌｌ／ｆ＿ｍａｉｎ＝  1.025
条件式（２）｜ｄ１２／ｄ１｜  ＝  0.333
条件式（３）νｄ１−νｄ２  ＝  16.5
面データ
面番号         r           d           nd         vd
物面             ∞  2700.00000
1        136.80700     6.00000     1.48749    70.4 
2        181.31000     2.00000 
3        123.90000     2.00000     1.71300    53.9 
4        106.00000     7.00000 
5         62.84300     7.30000     1.80420    46.5 
6        138.09200     0.20000 
7         60.35200     1.70000     1.65844    50.9 
8         27.67800     9.86500 
9        128.52100     1.60000     1.49700    81.6 
10         41.41100     7.62200 
11       -114.05800     1.50000     1.48749    70.4 
12         64.55600        可変
13       -179.97000    10.00000     1.80610    33.3 
14        -33.46100     2.00000     1.78472    25.7 
15        -73.69700     5.20900 
16         52.22000     4.77500     1.83400    37.3 
17        228.72200        可変
18(絞り)     97.42500     4.28200     1.48749    70.4
19        -52.63200     1.20000     1.84666    23.8 
20        -69.44400        可変
21         36.43700     4.75000     1.49700    81.6 
22        -43.28000     1.00000     1.58913    61.3 
23         35.82600     0.27600 
24         42.30200     1.00000     1.83400    37.3 
25         28.90400    11.89000 
26        -19.25200     1.00000     1.84666    23.8 
27        159.91800     7.41800     1.58913    61.3 
28        -27.34300     0.34500 
29       -356.42300     6.08700     1.83400    37.3 
30        -36.75200        可変
31         53.44100     5.68200     1.83400    37.3 
32               ∞     0.86200
33               ∞    28.00000     1.58913    61.3
34               ∞    13.84833
像面             ∞
各種データ
ズーム比     1.32415
広角      中間      望遠
焦点距離      26.2943   29.8929   34.8177
Ｆナンバー     1.67872   1.85536   2.08642
画角        28.6549   25.6956   22.4828
像高        14.3700   14.3700   14.3700
レンズ全長    200.5473  200.5154  200.4946
ＢＦ       13.84833  13.81644  13.79587
d12         20.2219   14.5611    8.8986 
d17         21.9656   18.8561   14.6862 
d20          0.9485    5.1995   11.6359 
d30          1.0000    5.5193    8.9150 
入射瞳位置     67.0453   64.9941   62.0964
射出瞳位置  -3070.5803  353.8477  172.1345
前側主点位置   93.1154   97.5124  104.5492
後側主点位置  174.0031  170.2997  165.2392
【００３２】
（実施例２）
（表２）
条件式（１）ｆ＿ａｌｌ／ｆ＿ｍａｉｎ＝  1.025
条件式（２）｜ｄ１２／ｄ１｜  ＝  0.833
条件式（３）νｄ１−νｄ２  ＝  16.5
面データ
面番号         r           d           nd         vd
物面             ∞  2700.00000
1        159.75800     6.00000     1.48749    70.4 
2        211.92600     5.00000 
3        121.02600     2.00000     1.71300    53.9 
4        106.00000     7.00000 
5         62.84300     7.30000     1.80420    46.5 
6        138.09200     0.20000 
7         60.35200     1.70000     1.65844    50.9 
8         27.67800     9.86500 
9        128.52100     1.60000     1.49700    81.6 
10         41.41100     7.62200 
11       -114.05800     1.50000     1.48749    70.4 
12         64.55600        可変
13       -179.97000    10.00000     1.80610    33.3 
14        -33.46100     2.00000     1.78472    25.7 
15        -73.69700     5.20900 
16         52.22000     4.77500     1.83400    37.3 
17        228.72200        可変
18(絞り)     97.42500     4.28200     1.48749    70.4
19        -52.63200     1.20000     1.84666    23.8 
20        -69.44400        可変
21         36.43700     4.75000     1.49700    81.6 
22        -43.28000     1.00000     1.58913    61.3 
23         35.82600     0.27600 
24         42.30200     1.00000     1.83400    37.3 
25         28.90400    11.89000 
26        -19.25200     1.00000     1.84666    23.8 
27        159.91800     7.41800     1.58913    61.3 
28        -27.34300     0.34500 
29       -356.42300     6.08700     1.83400    37.3 
30        -36.75200        可変
31         53.44100     5.68200     1.83400    37.3 
32               ∞     0.86200
33               ∞    28.00000     1.58913    61.3
34               ∞    13.84764
像面             ∞
各種データ
ズーム比     1.32416
広角      中間      望遠
焦点距離      26.2954   29.8942   34.8193
Ｆナンバー     1.67871   1.85536   2.08643
画角        28.6539   25.6946   22.4818
像高        14.3700   14.3700   14.3700
レンズ全長    203.5466  203.5146  203.4934
ＢＦ       13.84764  13.81556  13.79468
d12         20.2219   14.5611    8.8986 
d17         21.9656   18.8561   14.6862 
d20          0.9485    5.1995   11.6359 
d30          1.0000    5.5193    8.9150 
入射瞳位置     70.1229   68.0715   65.1736
射出瞳位置  -3070.5803  353.8477  172.1345
前側主点位置   96.1941  100.5914  107.6286
後側主点位置  177.0016  173.2978  168.2369
【００３３】
（実施例３）
（表３）
条件式（１）ｆ＿ａｌｌ／ｆ＿ｍａｉｎ  ＝  1.025
条件式（２）｜ｄ１２／ｄ１｜  ＝  0.333
条件式（３）νｄ１−νｄ２  ＝  16.5
面データ
面番号         r           d           nd         vd
物面             ∞  2754.70800
1        139.91200     6.00000     1.48749    70.4 
2        200.26800     2.00000 
3        127.74200     2.00000     1.71300    53.9 
4        106.00000     7.00000 
5         95.83900     8.00000     1.80420    46.5 
6        256.40300     0.20000 
7         52.54700     1.70000     1.69680    55.5 
8         27.00000    10.17500 
9        207.92100     1.60000     1.48749    70.4 
10         26.94300     9.73500 
11        -75.58900     1.50000     1.49700    81.6 
12         75.58900        可変
13       -336.14900    12.00000     1.80610    33.3 
14        -26.05600     2.00000     1.78472    25.7 
15        -84.46200     1.00000 
16         77.37000     6.00000     1.71736    29.5 
17       -149.08200        可変
18         95.87600     5.65000     1.48749    70.4 
19        -38.66900     1.20000     1.80610    40.7 
20        -49.09800        可変
21(絞り)           ∞        可変
22       -205.23000     1.50000     1.84666    23.8 
23         35.96100     1.00000 
24         88.60500     3.00000     1.49700    81.6 
25        -50.34600     4.00000 
26        -16.97200     1.00000     1.64769    33.8 
27        151.12900     9.30000     1.48749    70.4 
28        -22.55200     0.25000 
29        197.90300     9.50000     1.48749    70.4 
30        -34.34700        可変
31         48.00000     5.90000     1.78472    25.7 
32        269.99000     0.86200 
33               ∞    28.00000     1.58913    61.3
34               ∞    14.12902
像面             ∞
各種データ
ズーム比     1.36881
広角      望遠
焦点距離      19.1782   26.2514
Ｆナンバー     1.71038   2.11256
画角        33.7199   26.0203
像高        12.8100   12.8100
レンズ全長    208.3953  208.3187
ＢＦ       14.12902  14.06771
d12         17.0915    6.0000 
d17         30.2318   19.5205 
d20          1.5334    6.8735 
d21          2.0000   10.0000 
d30          1.3376    9.7850 
入射瞳位置     61.6353   60.0675
射出瞳位置   -151.4871  623.9369
前側主点位置   78.5909   87.4484
後側主点位置  189.0864  181.8226
【００３４】
（実施例４）
（表４）
条件式（１）ｆ＿ａｌｌ／ｆ＿ｍａｉｎ＝  1.025
条件式（２）｜ｄ１２／ｄ１｜  ＝  0.333
条件式（３）νｄ１−νｄ２  ＝  20.4
面データ
面番号         r           d           nd         vd
物面             ∞  2700.00000
1        155.13500     6.00000     1.59201    67.0 
2        214.27800     2.00000 
3        146.44800     2.00000     1.81600    46.6 
4        121.38700     7.00000 
5         62.84300     7.30000     1.80420    46.5 
6        138.09200     0.20000 
7         60.35200     1.70000     1.65844    50.9 
8         27.67800     9.86500 
9        128.52100     1.60000     1.49700    81.6 
10         41.41100     7.62200 
11       -114.05800     1.50000     1.48749    70.4 
12         64.55600        可変
13       -179.97000    10.00000     1.80610    33.3 
14        -33.46100     2.00000     1.78472    25.7 
15        -73.69700     5.20900 
16         52.22000     4.77500     1.83400    37.3 
17        228.72200        可変
18(絞り)     97.42500     4.28200     1.48749    70.4
19        -52.63200     1.20000     1.84666    23.8 
20        -69.44400        可変
21         36.43700     4.75000     1.49700    81.6 
22        -43.28000     1.00000     1.58913    61.3 
23         35.82600     0.27600 
24         42.30200     1.00000     1.83400    37.3 
25         28.90400    11.89000 
26        -19.25200     1.00000     1.84666    23.8 
27        159.91800     7.41800     1.58913    61.3 
28        -27.34300     0.34500 
29       -356.42300     6.08700     1.83400    37.3 
30        -36.75200        可変
31         53.44100     5.68200     1.83400    37.3 
32               ∞     0.86200
33               ∞    28.00000     1.58913    61.3
34               ∞    13.84735
像面             ∞
各種データ
ズーム比     1.32416
広角      中間      望遠
焦点距離      26.2947   29.8934   34.8184
Ｆナンバー     1.67869   1.85534   2.08642
画角        28.6545   25.6952   22.4824
像高        14.3700   14.3700   14.3700
レンズ全長    200.5463  200.5142  200.4929
ＢＦ       13.84735  13.81518  13.79415
d12         20.2219   14.5611    8.8986 
d17         21.9656   18.8561   14.6862 
d20          0.9485    5.1995   11.6359 
d30          1.0000    5.5193    8.9150 
入射瞳位置     66.7056   64.6543   61.7566
射出瞳位置  -3070.5803  353.8477  172.1345
前側主点位置   92.7762   97.1733  104.2104
後側主点位置  174.0017  170.2978  165.2367
【００３５】
（実施の形態２）
図１１は、実施の形態２に係る投写装置の光学構成図である。図１１において、投写装置は、実施の形態１で示したズームレンズ系全体Ａと、光学像を形成する空間光変調素子Ｂと、光源Ｃとで構成される。なお図中表示された面Ｐは、投写装置で投写された画像のフォーカス面Ｐである。このような実施の形態２によれば、光源Ｃにより照明される空間光変調素子Ｂに形成された光学像を投写レンズ（ズームレンズ系全体）Ａによってフォーカス面Ｐに拡大投写される。実施の形態１で示したズームレンズ系全体を、投写レンズに用いることによって、歪みの少ない画面が得られる投写装置が実現される。
【００３６】
（実施の形態３）
図１２は、実施の形態３に係る投写型表示装置の構成図である。図１２において、投写型表示装置は、ズームレンズ系全体Ａと、光学像を形成する空間光変調素子Ｂとを含み、空間光変調素子Ｂには各々青、緑、赤の３種の光学像が時間的に分割されて形成される。カラーホイールＤは、Ｒ、Ｇ、Ｂのフィルターを回転させることで青、緑、赤の３色に時間的に制限する。光源Ｃからの光は、青、緑、赤の３色に時間的に制限するカラーホイールＤによって青、緑、赤の３色に時間的に分解され、空間光変調素子Ｂを照明する。空間光変調素子Ｂには青、緑、赤の３種の光学像が時間的に分割されて形成され、投写レンズ（ズームレンズ系全体）Ａによって拡大投写される。投写レンズＡに実施の形態１で示したアタッチメントレンズを装着したズームレンズ系全体を用いることによって、明るくて色の滲みや歪みが少ない画像が得られる投写型表示装置がコンパクトに実現される。
【００３７】
（実施の形態４）
図１３は、実施の形態４に係るリアプロジェクターの構成図である。図１３において、リアプロジェクターは、実施の形態３で示した投写型表示装置Ｇと、光を折り曲げるミラーＨと、透過型スクリーンＩと、筐体Ｊとで構成される。投写型表示装置Ｇから投写される画像はミラーＨによって反射され、透過型スクリーンＩに結像される。このような実施の形態４によれば、投写型表示装置Ｇに実施の形態３で示した投写型表示装置を用いることによって、高精細なリアプロジェクターがコンパクトに実現される。
【００３８】
（実施の形態５）
図１４は、実施の形態５に係るマルチビジョンシステムの構成図である。図１４において、マルチビジョンシステムは、実施の形態３で示した投写型表示装置Ｇと、透過型スクリーンＩと、筐体Ｋと、画像を分割する画像分割回路Ｌとで構成される。画像信号は、画像分割回路Ｌによって加工分割されて複数台の投写型表示装置Ｇに送られる。投写型表示装置Ｇから投写される画像は透過型スクリーンＩに結像される。このような実施の形態５によれば、投写型表示装置Ｇに実施の形態３で示した投写型表示装置を用いることによって、画像のつなぎ目がずれることがなく違和感のないマルチビジョンシステムがコンパクトに実現される。
【産業上の利用可能性】
【００３９】
本発明に係るアタッチメントレンズは、投写装置、特にスタック表示やマルチ表示等の表示を行う投写型表示装置等に好適である。
【図面の簡単な説明】
【００４０】
【図１】実施の形態１（実施例１）に係るズームレンズ系全体の無限遠合焦状態を示すレンズ配置図
【図２】実施例１に係るズームレンズ系全体の無限遠合焦状態の縦収差図
【図３】実施例１に係るズームレンズ系の主レンズのみ無限遠合焦状態の縦収差図
【図４】実施の形態１（実施例２）に係るズームレンズ系全体の無限遠合焦状態を示すレンズ配置図
【図５】実施例２に係るズームレンズ系全体の無限遠合焦状態の縦収差図
【図６】実施の形態１（実施例３）に係るズームレンズ系全体の無限遠合焦状態を示すレンズ配置図
【図７】実施例３に係るズームレンズ系全体の無限遠合焦状態の縦収差図
【図８】実施例３に係るズームレンズ系の主レンズのみ無限遠合焦状態の縦収差図
【図９】実施の形態１（実施例４）に係るズームレンズ系全体の無限遠合焦状態を示すレンズ配置図
【図１０】実施例４に係るズームレンズ系全体の無限遠合焦状態の縦収差図
【図１１】実施の形態２に係る投写装置の光学構成図
【図１２】実施の形態３に係る投写型表示装置の構成図
【図１３】実施の形態４に係るリアプロジェクターの構成図
【図１４】実施の形態５に係るマルチビジョンシステムの構成図
【符号の説明】
【００４１】
Ｌ１  正レンズ素子
Ｌ２  負レンズ素子
Ａ    絞り
【図１】
2008304858.tif 000003
【図２】
2008304858.tif 000004
【図３】
2008304858.tif 000005
【図４】
2008304858.tif 000006
【図５】
2008304858.tif 000007
【図６】
2008304858.tif 000008
【図７】
2008304858.tif 000009
【図８】
2008304858.tif 000010
【図９】
2008304858.tif 000011
【図１０】
2008304858.tif 000012
【図１１】
2008304858.tif 000013
【図１２】
2008304858.tif 000014
【図１３】
2008304858.tif 000015
【図１４】
2008304858.tif 000016